(57)【要約】【課題】軸筒内に少なくともシャープペンシル筆記体を収容する筆記具において、筆記具を分解することなく鉛芯の補充を容易に行うことができ、且つ、芯ケースパイプに収容された鉛芯の不用意な飛び出しや粉漏れを防止する。【解決手段】軸筒２，３内に少なくともシャープペンシル筆記体１１を収容し、前記筆記体の後端に連結されたノック棒７の繰り出し操作により筆記体の先端部を軸先から突出させる筆記具１であって、前記ノック棒は、前記シャープペンシル筆記体において鉛芯３０を収容する芯ケースパイプ１１ａの後端に連結され、前記芯ケースパイプに連通すると共に後端から鉛芯を挿入可能な芯補充路２０が形成された棒体７ａと、前記棒体の側面に回動自在に設けられ、前記棒体に係止した一の状態において前記芯補充路を開き、前記一の状態から回動して前記棒体に係止した他の状態において前記芯補充路を閉じる蓋部材２３とを備える。【選択図】図１
2012111040.tif 000002
【特許請求の範囲】
【請求項１】
軸筒内に少なくともシャープペンシル筆記体を収容し、前記シャープペンシル筆記体の後端に連結されたノック棒の繰り出し操作により前記シャープペンシル筆記体の先端部を軸先から突出させる筆記具であって、
前記ノック棒は、
前記シャープペンシル筆記体において鉛芯を収容する芯ケースパイプの後端に連結され、前記芯ケースパイプに連通すると共に後端から前記鉛芯を挿入可能な芯補充路が形成された棒体と、
前記棒体の側面に回動自在に設けられ、前記棒体に係止した一の状態において前記芯補充路を開き、前記一の状態から回動して前記棒体に係止した他の状態において前記芯補充路を閉じる蓋部材とを備えることを特徴とする筆記具。
【請求項２】
前記軸筒内に配置され、前記ノック棒を摺動可能に保持すると共に、その後端に前記ノック棒の芯補充路に連通する芯補充孔が形成された内筒と、
前記内筒の後端に着脱可能に設けられ、その頭部が軸方向に押圧されることにより前記シャープペンシル筆記体の先端から鉛芯が繰り出されるノックカバーとを備え、
前記ノックカバーの側面には、芯補充溝が形成され、
前記内筒に装着されるノックカバーにおける前記芯補充溝の配置によって、前記芯補充溝が前記内筒の芯補充孔に連通可能となることを特徴とする請求項１に記載された筆記具。
【請求項３】
前記棒体の側面に回動自在に設けられる蓋部材は、
シャープペンシル筆記体の軸先方向に回動することによって、前記芯補充路を閉じることを特徴とする請求項１または請求項２に記載された筆記具。
【請求項４】
前記蓋部材の周面には突起部が形成され、
前記突起部が前記棒体に係止することにより、前記蓋部材が前記棒体に固定されることを特徴とする請求項１乃至請求項３のいずれかに記載された筆記具。
【請求項５】
前記蓋部材は、熱可塑性エラストマーにより形成されていることを特徴とする請求項１乃至請求項４のいずれかに記載された筆記具。
【発明の詳細な説明】
【技術分野】
【０００１】
本発明は、軸筒内に複数の筆記体を収容し、前記筆記体の繰り出し操作により筆記体の先端部を軸先から突出させる筆記具に関する。
【背景技術】
【０００２】
従来、軸筒の中に複数の筆記体を収容し、所定の繰り出し操作により、軸先から筆記体の先端部を突出させる構造の複式筆記具が広く用いられている。
例えば、軸筒に収容された複数の筆記体のうち、一つを選択的に繰り出す機構の方式としては、複数のノック操作部にそれぞれ固定された複数の筆記体を、軸内に設けた縦溝に沿って摺動自在とし、選択的に一つの筆記体の先端を軸先から突出させて係合させる所謂ノック方式が知られている。
【０００３】
尚、このノック方式において選択された筆記体の係合を解除する場合、他のいずれかの筆記体を突出させることにより解除され、筆記体は、所謂リターンスプリングの作用により軸筒内に収納される。
また、軸筒に収容される筆記体としては、シャープペンシル筆記体、ボールペン筆記体等が用いられている。
【０００４】
ところで従来、軸筒内のシャープペンシル筆記体に鉛芯を補充する際には、その都度、軸筒を分解する必要があった。
即ち、軸筒を分解してシャープペンシル筆記体を取り外し、そのノック棒から芯ケースパイプを抜き取った後、芯ケースパイプの上端開口から鉛芯を補充しなければならず、作業が煩雑であるという課題があった。
【０００５】
そのような課題に対し、特許文献１には、シャープペンシルを主筆記体とし、これと他の筆記体とを軸筒に収容し、シャープペンシル筆記体への鉛芯の補充を容易とする筆記具が開示されている。具体的には、複式の筆記具でありながら、鉛芯の補充時には、単式のシャープペンシル筆記具と同様に筆記具後端のノックカバーを取り外し、そこから鉛芯の補充が可能な構成となされている。
また、特許文献２には、シャープペンシル筆記体に取り付けたノック操作部（ノック棒）に、外部と芯ケースパイプとを連通する芯補充路を形成した筆記具が開示されている。
この特許文献２に開示された筆記具によれば、軸筒を分解等しなくても、ノック操作部の後端から鉛芯を芯ケースパイプに補充することができる。
【先行技術文献】
【特許文献】
【０００６】
【特許文献１】特開平１１−９１２８９号公報
【特許文献２】特開平１０−１２９１８９号公報
【発明の概要】
【発明が解決しようとする課題】
【０００７】
しかしながら、特許文献１に開示された筆記具にあっては、鉛芯の補充の際に、ノックカバー等を必ず取り外す必要があり、取り外した部品（ノックカバーや消しゴム）を紛失しやすいといった課題があった。
また、特許文献２に開示された筆記具にあっては、芯補充路の後端（ノック操作部の後端）が開放されているために、筆記部の軸先を上方に向けると、ノック操作部の後端から鉛芯が不用意に飛び出す、或いは芯ケースパイプ内に溜まった芯粉が漏れて下方に落ちる（以下、粉漏れと呼ぶ）虞があった。
【０００８】
本発明は、前記した点に着目してなされたものであり、軸筒内に少なくともシャープペンシル筆記体を収容する筆記具において、筆記具を分解することなく鉛芯の補充を容易に行うことができ、且つ、芯ケースパイプに収容された鉛芯の不用意な飛び出しや粉漏れを防止することのできる筆記具を提供することを目的とする。
【課題を解決するための手段】
【０００９】
前記した課題を解決するために、本発明に係る筆記具は、軸筒内に少なくともシャープペンシル筆記体を収容し、前記シャープペンシル筆記体の後端に連結されたノック棒の繰り出し操作により前記シャープペンシル筆記体の先端部を軸先から突出させる筆記具であって、前記ノック棒は、前記シャープペンシル筆記体において鉛芯を収容する芯ケースパイプの後端に連結され、前記芯ケースパイプに連通すると共に後端から鉛芯を挿入可能な芯補充路が形成された棒体と、前記棒体の側面に回動自在に設けられ、前記棒体に係止した一の状態において前記芯補充路を開き、前記一の状態から回動して前記棒体に係止した他の状態において前記芯補充路を閉じる蓋部材とを備えることに特徴を有する。
このように構成することにより、シャープペンシル筆記体への鉛芯の補充の際には、筆記具の本体軸筒を分解する必要がなく、蓋部材により芯補充路を開き、棒体の後端から鉛芯を芯ケースパイプに容易に補充することができる。
また、鉛芯の補充を行わないときには、蓋部材を回動させて芯補充路を閉じることによって、芯ケースパイプに収容された鉛芯が、不用意に落下するのを防止することができる。
なお、蓋部材の取り付けについては、シャープペンシル筆記体のノック棒だけでなく、ボールペン、サインペン、消しゴム等の筆記体のノック棒に取り付けても良い。
【００１０】
尚、前記軸筒内に配置され、前記ノック棒を摺動可能に保持すると共に、その後端に前記ノック棒の芯補充路に連通する芯補充孔が形成された内筒と、前記内筒の後端に着脱可能に設けられ、その頭部が軸方向に押圧されることにより前記シャープペンシル筆記体の先端から鉛芯が繰り出されるノックカバーとを備え、前記ノックカバーの側面には、芯補充溝が形成され、前記内筒に装着されるノックカバーにおける前記芯補充溝の配置によって、前記芯補充溝が前記内筒の芯補充孔に連通可能となることが望ましい。
このように構成することにより、ノックカバーを取り外すことなく鉛芯の補充を行うことができる。
また、前記芯補充孔の位置と、ノックカバーの芯補充溝の位置とをずらして配置することによっても芯補充路を閉じることができ、より確実に鉛芯の落下等を防止することができる。
【００１１】
また、前記棒体の側面に回動自在に設けられる蓋部材は、シャープペンシル筆記体の軸先方向に回動することによって、前記芯補充路を閉じることが望ましい。
このように構成することにより、筆記具の使用時において、蓋部材が不用意に開くことを防止することができる。
また、前記蓋部材の周面には突起部が形成され、前記突起部が前記棒体に係止することにより、前記蓋部材が前記棒部材に固定されることが望ましく、それにより、所定の外力を加えなければ蓋部材は回動せず、蓋部材が棒体に係止した状態の保持力を向上することができる。
また、前記蓋部材は、熱可塑性エラストマー等のゴム弾性を有する材料により形成されることが望ましく、それにより、前記突起部によって蓋部材が棒体に係止した状態の保持力を向上させ、且つ、使用者による蓋部材の開閉操作を滑ることのない容易なものとすることができる。
さらに筆記具内に熱変色性インク等を収納したボールペン筆記体とした場合には、蓋部材で筆記した描線を擦ると変色、消色することができる。また、蓋部材を、可塑剤を含めた熱可塑性エラストマーで形成した場合には、シャープペンシル筆記体で筆記した描線や消しゴム消去性インクを収納したボールペン筆記体で筆記した描線を消去することもできる。
【発明の効果】
【００１２】
本発明によれば、軸筒内に少なくともシャープペンシル筆記体を収容する筆記具において、筆記具を分解することなく鉛芯の補充を容易に行うことができ、且つ、芯ケースパイプに収容された鉛芯の不用意な飛び出しや粉漏れを防止することのできる筆記具を得ることができる。
【図面の簡単な説明】
【００１３】
【図１】図１は、本発明に係る筆記具の軸方向に沿って中央で破断した状態の断面図であって、図１（ａ）は、シャープペンシル筆記体に鉛芯を補充するための芯補充路が閉じられた状態、図１（ｂ）は、前記芯補充路が開かれた状態を示している。
【図２】図２（ａ）は、図１の筆記具の後軸内に配置される内筒の側面図、図２（ｂ）は、図２（ａ）の断面図、図２（ｃ）は内筒の後端の正面図である。
【図３】図３（ａ）は、ノック棒の正面図、図３（ｂ）は、ノック棒の側面図、図３（ｃ）は、図３（ｂ）の断面図、図３（ｄ）は、ノック棒の後端の正面図である。
【図４】図４（ａ）は、ノック棒に取り付けられる蓋部の正面図、図４（ｂ）はその側面図である。
【図５】図５（ａ）は、蓋部材によって芯補充路が閉じられた状態を示すノック棒の断面図、図５（ｂ）は、蓋部材によって芯補充路が開かれた状態を示すノック棒の断面図である。
【図６】図６（ａ）は、図１（ａ）のＡ−Ａ矢視断面図、図６（ｂ）は、図１（ｂ）のＢ−Ｂ矢視断面図である。
【図７】図７は、ノックカバーの芯補充溝から鉛芯を補充する状態を示す一部拡大図である。
【発明を実施するための形態】
【００１４】
この発明にかかる筆記具について、図１に示す実施の形態に基づいて説明する。尚、図１は、筆記具の軸方向に沿って中央で破断した状態の断面図であって、図１（ａ）は、シャープペンシル筆記体に鉛芯を補充するための芯補充路が閉じられた状態、図１（ｂ）は、前記芯補充路が開かれた状態を示している。
【００１５】
筆記具１を構成する軸筒は、前軸２および後軸３により構成されている。即ち、前軸２の後端部に設けられた円筒状の連結螺子２ａが、後軸３の前端部内周面に形成されたねじ部３ａに螺合することで、前軸２および後軸３が結合されて軸筒を構成している。
前記前軸２には、当該前軸２の周側面のほぼ全体を覆うようにして、ゴム素材により形成されたグリップ部材５が捲装されている。
また、本実施の形態においては、前軸２の先端がテーパ状に縮径することによって、筆記体の先端が出没可能な先口部２ｂが形成されている。
【００１６】
一方、本実施の形態において、前記後軸３にはノック方式の繰り出し機構が設けられている。具体的には、後軸３の後方側面に設けられたクリップ４と並行して、複数の縦溝６（図１では一つのみを示す）が形成されている。
尚、この縦溝６は軸筒に収容されるシャープペンシル筆記体１１などの数に対応して形成されているが、図１においてはシャープペンシル筆記体１１に対応する縦溝６のみが示されている。
【００１７】
また、前記後軸３内には、内筒１５が配置されている。
図２（ａ）に内筒１５の側面図、図２（ｂ）にその断面図、図２（ｃ）に後端の正面図を示す。内筒１５の周面には、後軸３に配置された状態において前記縦溝６と重なる縦溝１６が形成されている。この縦溝１６には、図１（ａ）、図１（ｂ）に示すようにノック棒７（スライド部材）が摺動自在に保持され、このノック棒７の摺動に伴い、ノック棒７の後端部に形成された突出部７ｄが、前記後軸３の縦溝６に沿って摺動するようになされている。
また、前記ノック棒７の前端部７ｂには、鉛芯３０を収容するための芯ケースパイプ１１ａの後端部が取り付けられ、ノック棒７とシャープペンシル筆記体１１とが結合されている。
【００１８】
また、前記後軸３の前端側における内周面には、バネ受け部材２１が配置されており、このバネ受け部材２１には、前記芯ケースパイプ１１ａや他のボールベン筆記体等を通す複数の小孔２１ａが穿設されると共に、前記小孔２１ａ内に形成された段部（図示せず）と前記ノック棒７の前端部７ｂとの間には、前記芯ケースパイプ１１ａを捲装するようにしてリターンバネ２２が配置されている。これにより、ノック棒７の前端部７ｂは、前記バネ受け部材２１との間でリターンバネ２２を伸縮させながら筆軸方向に移動自在となされている。
【００１９】
また、前記内筒１５の縦溝１６には、リブ１６ａが形成されており、全ての筆記具が軸筒内に完全に収容された状態から、例えばシャープペンシル筆記体１１のノック棒７の突出部７ｄを前方に押し出すと、ノック棒７の係合突起７ｅが前記リブ１６ａの端部に係合するようになされている。
これにより、ノック棒７の前進に連動して、芯ケースパイプ１１ａを介しシャープペンシル筆記体１１が軸筒内を前進し、その先端部が、先口部２ｂより突出した状態となされる。
【００２０】
また、内筒１５の後端には、円筒状の消しゴム受け１５ｂが設けられ、この消しゴム受け１５ｂが後軸３の後端から突出した配置とされる。図１に示すように、消しゴム受け１５ｂには、略円柱形の消しゴム１７が装着可能となっている。また、消しゴム受け１５ｂ（消しゴム１７）には、ノックカバー１８が着脱自在に装着されている。
【００２１】
また、いずれの筆記体も、軸筒内に収容された状態にあっては、前記リターンバネ２２の付勢力によって、内筒１５の前端部１５ａに、そのノック棒の前端部が係止するようになされている。
また、前記内筒１５は、保持する筆記体と共に、後軸３内を軸方向に沿って所定距離を摺動自在に配置されている。そして、シャープペンシル筆記体１１の先端部が先口部２ｂから突出した状態で、ノックカバー１８（消しゴム受け１５ｂ）の頭部が軸先方向に押圧されると、前記筆記体先端部は先口部２ｂに保持されているため、鉛芯３０を把持するチャックが開き、鉛芯３０が繰り出されるようになっている。
尚、後軸３の中に押し込まれたノックカバー１８（消しゴム受け１５ｂ）は、全ての筆記体に設けられたリターンバネ２２の付勢力により元の位置、即ち後軸３の後端から突出した状態に戻される。
【００２２】
一方、シャープペンシル筆記体１１と共に軸筒内に収容された他の筆記体についても、前記縦溝６、１６に沿ってスライド移動可能なノック棒（図示せず）が備えられている。
そして、シャープペンシル筆記体１１の先端部が先口部２ｂから突出している状態で、他の筆記体に対応するノック棒を縦溝６、１６に沿って押し出すことで、シャープペンシル筆記体１１を支持するノック棒７は、内筒１５の縦溝１６に形成されたリブ１６ａに対する係合が外され、シャープペンシル筆記体１１はリターンバネ２２の作用により軸筒内に収容される。そして、押し出された他の筆記体のノック棒が後軸２内に形成された前記リブ１６ａに係合し、その筆記体の先端部が先口部２ｂから突出した状態になされる。
【００２３】
また、本発明に係る複式筆記具１にあっては、シャープペンシル筆記体１１に鉛芯３０を補充するための構成に特徴を有するため、その構成について、更に詳細に説明する。
図３（ａ）はノック棒７の正面図、図３（ｂ）はその側面図、図３（ｃ）は図３（ｂ）の断面図、図３（ｄ）はノック棒７の後端の正面図である。また、図４（ａ）は、ノック棒７に取り付けられる蓋部の正面図であり、図４（ｂ）はその側面図である。また、図５（ａ）、（ｂ）はノック棒７の断面図である。
【００２４】
図３（ｃ）に示すように、ノック棒７は、先端部７ｂが芯ケースパイプ１１ａに連結される棒体７ａを備え、この棒体７ａの内部には、軸方向に貫通すると共に、その後端からシャープペンシルの鉛芯３０を挿入可能な芯補充路２０が形成されている。
即ち、図５（ｂ）に示すように、ノック棒７に芯ケースパイプ１１ａが結合されると、ノック棒７（棒体７ａ）の後端部７ｃ（芯補充路２０の後端）から鉛芯３０をシャープペンシル筆記体１１に補充できるようになっている。
【００２５】
また、棒体７ａの後端側に形成された突出部７ｄには、前記芯補充路２０に連通する溝状の蓋取付孔１９が設けられている。この蓋取付孔１９には、図４の蓋部材２３が回動自在に装着される。即ち、蓋部材２３は、略半円板状に形成され、その両側面に、回転軸となる軸突起２３ａが設けられている。この軸突起２３ａは、図３に示すように前記蓋取付孔１９の左右側面に形成された軸受１９ａに係合し、図５（ａ）に示す状態（芯補充路２０が塞がれた状態）と、図５（ｂ）に示す状態（芯補充路２０が開かれた状態）との間で回動可能となされている。
【００２６】
より詳しく説明すると、蓋取付孔１９の後側側面には、図５に示すように、蓋部材２３を係止させるための第一の被係止部１９ｂと第二の被係止部１９ｃとが形成されている。
また、蓋部材２３には、前記第一の被係止部１９ｂに係止可能な第一の係止部２３ｂと、前記第二の被係止部１９ｃに係止可能な第二の係止部２３ｃとが形成されている。
即ち、図５（ａ）に示すように、前記蓋部材２３の第一の係止部２３ｂが、前記蓋取付孔１９の第一の被係止部１９ｂに係止することによって、芯補充路２０が蓋部材２３によって塞がれるようになっている。
尚、このように蓋部材２３が軸先方向（使用者が筆記具１を使用するとき下方向）に回動して芯補充路２０が閉じられる構成とすることにより、筆記具１の使用中等に蓋部材２３が不用意に回転して芯補充路２０が開くことを防止することができる。
【００２７】
また、図５（ａ）に示す状態から蓋部材２３が回動すると、図５（ｂ）に示すように蓋部材２３の第二の係止部２３ｃが、前記蓋取付部１９の第二の被係止部１９ｃに係止することによって、芯補充路２０が開かれ、鉛芯３０を補充可能な状態となるように構成されている。
尚、蓋部材２３が、その自重により不用意に回動しないように、蓋部材２３の周面には、図５（ａ）の状態を保持するための保持突起２３ｄ（突起部）と、図５（ｂ）の状態を保持するための保持突起２３ｅ（突起部）とが設けられている。即ち、保持突起２３ｄ（２３ｅ）が棒体７ａに係止することによって、蓋部材２３が棒体７ａに固定されるようになされている。
また、蓋部材２３は、例えば熱可塑性エラストマー等のゴム弾性を有する材料により形成されることが望ましく、それにより、保持突起２３ｄ（２３ｅ）によって蓋部材２３が棒体７ａに係止した状態の保持力を向上させ、且つ、使用者による蓋部材２３の開閉操作を容易なものとすることができる。
【００２８】
また、図２（ｃ）に示すように、内筒１５の後端部において、消しゴム受け１５ｂの外側には芯補充孔１５ｃが形成されている。この芯補充孔１５ｃは、シャープペンシル筆記体１１に連結されたノック棒７の芯補充路２０と連通している。このため、例えば、ノックカバー１８が外された状態で、前記芯補充孔１５ｃから鉛芯３０を挿入し、シャープペンシル筆記体１１の芯ケースパイプ１１ａに鉛芯３０を補充することができる。
【００２９】
また、図６（ａ）は図１（ａ）のＡ−Ａ矢視断面図であり、図６（ｂ）は図１（ｂ）のＢ−Ｂ矢視断面図である。
図６（ａ）、図６（ｂ）、及び図１（ｂ）に示すように、ノックカバー１８の側面には、鉛芯を挿通可能な芯補充溝１８ａが設けられている。そして、このノックカバー１８を、図６（ａ）のような芯補充溝１８ａの配置で装着することによって、内筒１５の芯補充孔１５ｃを塞ぐことができる。
一方、ノックカバー１８を図６（ａ）の状態から軸周りに所定角度（例えば９０°）回転させ、図６（ｂ）に示す芯補充溝１８ａの配置で装着することによって、芯補充溝１８ａと、内筒１５の芯補充孔１５ｃとを連通させることができる。
【００３０】
したがって、ノックカバー１８を取り外さなくとも、ノックカバー１８を図６（ｂ）に示す状態に配置し、蓋部材２３を図１（ｂ）（図５（ｂ））に示す配置として芯補充路２０を開くことにより、図７に示すように前記芯補充溝１８ａから鉛芯３０を挿入し、シャープペンシル筆記体１１に鉛芯３０を補充することができる。
一方、鉛芯３０の補充を行わない場合には、蓋部材２３を図１（ａ）（図５（ａ））に示す配置として芯補充路２０を閉じた状態とする、或いは、ノックカバー１８を図６（ａ）に示す状態として芯補充溝１８ａを閉じればよく、それにより筆記具後端からの鉛芯３０の落下、及び粉漏れを防止することができる。
【００３１】
以上のように本発明に係る実施の形態によれば、シャープペンシル筆記体１１に連結されたノック棒７に、芯ケースパイプ１１ａに連通する芯補充路２０が設けられ、前記芯補充路２０に連通する芯補充孔１５ｃが筆記具１の後端に設けられる。更に、前記芯補充路２０は、ノック棒７の側面側に設けられた回動自在な蓋部材２３によって、開閉自在となされる。
このような構成により、シャープペンシル筆記体１１への鉛芯３０の補充の際には、筆記具１の本体軸筒を分解する必要がなく、筆記具１の後端の芯補充孔１５ｃから容易に補充することができる。
また、筆記具１の通常使用時等、鉛芯３０の補充を行わないときには、蓋部材２３を回動させて芯補充路２０を閉じることによって、芯ケースパイプ１１ａに収容された鉛芯３０の不用意な落下、及び粉漏れを防止することができる。
【００３２】
また、筆記具１の後端において、ノックカバー１８に、前記芯補充孔１５ｃに連通する芯補充溝１８ａを設けることにより、ノックカバー１８を取り外すことなく鉛芯３０の補充を行うことができる。また、前記芯補充孔１５ｃの位置と、ノックカバー１８の芯補充溝１８ａの位置とをずらして配置することによっても芯補充路２０を閉じることができ、鉛芯３０の落下等を防止することができる。
【符号の説明】
【００３３】
１          筆記具
２          前軸（軸筒）
３          後軸（軸筒）
７          ノック棒
７ａ        棒体
１１        シャープペンシル筆記体
１１ａ      芯ケースパイプ
２０        芯補充路
２３        蓋部材
３０        鉛芯
【図１】
2012111040.tif 000003
【図２】
2012111040.tif 000004
【図３】
2012111040.tif 000005
【図４】
2012111040.tif 000006
【図５】
2012111040.tif 000007
【図６】
2012111040.tif 000008
【図７】
2012111040.tif 000009